(57)【要約】      （修正有）【課題】周辺の内端側の角と、周辺の内端側及び／又は外端側の隅角を曲面形状にした底板と、底板の隅角、及び周辺の外端に沿って立設した鍵型の側板でなる構成にすることにより、スーパー、菓子店、薬局等の各店の店頭、コーナー、陳列台・棚等を活用し、全ての店内に陳列かつ広告用として利用する。【解決手段】周辺の内端側の角１aと、周辺の内端側及び／又は外端側の隅角１ｂを曲面形状にした底板１と、底板１の隅角１ｂ、及び周辺の外端に沿って立設した鍵型の側板５で構成し、底板１の隅角１ｂ、及び外端１０５のコーナー上面に設けた孔２と、側板５の少なくとも下面に設けた孔６との間に、連結具７を設け、底板１と側板５を組立て、かつ分解できる構成とした。【選択図】図５
2010200919.tif 000002
【特許請求の範囲】
【請求項１】
周辺の内端側の角と、この周辺の内端側及び／又は外端側の隅角を曲面形状にした底板と、この底板の周辺の外端に沿って立設した鍵型の側板で構成し、この底板の隅角、及び外端のコーナー上面に設けた孔と、前記側板の少なくとも下面に設けた孔との間に、連結具を設け、前記底板と側板を組立て、かつ分解できる構成とした組立て式陳列棚。
【請求項２】
請求項１に記載の側板の上面に孔を設け、この孔を利用して、同形の側板を複数枚積層組立て、かつ分解可能とした組立て式陳列棚。
【請求項３】
請求項１に記載の側板の上面に孔を設け、この孔を利用して、同形の側板を複数枚積層組立て、かつ分解可能とするとともに、前記底板の周辺の外端の上下面に設けた孔と、前記連結具を介して、この底板を中間棚として利用する構成とした組立て式陳列棚。
【請求項４】
請求項１に記載の側板の上面に孔を設け、この孔を利用して、この側板に幟、広告塔を立設可能とした組立て式陳列棚。
【発明の詳細な説明】
【技術分野】
【０００１】
本発明は、少ないパーツで、組立て、かつ分解できる組立て式の陳列棚（陳列台）に関する。
【背景技術】
【０００２】
従来、組立て、かつ分解できる組立て式の陳列棚は、組立て式の棚が知られている。例えば、特開２００３−６１７６１の「組立棚の支柱と棚受け等との係合構造」がある（文献（１））。この発明は、少なくとも四本の支柱と、フックを備えたビーム、並びにフックを備えた棚受け用ブラケットを介して、前記支柱に棚を取付け、かつ分解可能に設ける構成とした支柱と棚受け等との係合構造であり、組立て式のラックと、組立て途中でのラック、又はビーム、棚受け用ブラケット、また、棚が落下、又は離脱しない構造とすることにある。
【０００３】
しかし、この文献（１）は、単なる組立て式のラックであり、本発明が意図する「周辺の内端側の角と、この周辺の内端側及び／又は外端側の隅角を曲面形状にした底板と、この底板の隅角、及び隠蔽箇所に沿って立設した鍵型の側板でなる構成は、」開示されていない。従って、食品店、スーパー、洋菓子・和菓子等の菓子店、宝石店、薬局、ディーラー、洋品店、呉服屋等の各店の店頭、コーナー、陳列台・棚等を活用し、全ての店内に陳列かつ広告用として利用することは期待できない。
【０００４】
また、前記文献（１）は、部品、加工品等用としての組立て式のラックであり、本発明が意図する「底板と、複数枚の側板を組合せることと、この側板を利用して幟、広告塔を立設する構成は、」開示されていない。従って、食品店、スーパー、洋菓子・和菓子等の菓子店、宝石店、薬局、ディーラー、洋品店、呉服屋等の各店の店頭、コーナー、陳列台・棚等を活用し、かつ幟効果と、広告塔効果を、前記全ての店内に陳列かつ広告用として利用することは期待できない。
【０００５】
【特許文献１】特開２００３−６１７６１
【発明の概要】
【発明が解決しようとする課題】
【０００６】
文献（１）の問題点を解決するために、本発明は、前述した構造を採用し、組立て、かつ分解できる組立て式の陳列棚を提供する。その意図を、下記に示す。
〔Ａ〕として、「食品店、スーパー、洋菓子・和菓子等の菓子店、宝石店、薬局、ディーラー、洋品店、呉服屋等の各店の店頭、コーナー、陳列台・棚等を活用し、全ての店内に陳列かつ広告用として有効利用できる構造とするために、周辺の内端側の角と、この周辺の内端側及び／又は外端側の隅角を曲面形状にした底板と、この底板の隅角、及び隠蔽箇所に沿って立設した鍵型の側板でなる構成」とする。
〔Ｂ〕として、「食品店、スーパー、洋菓子・和菓子等の菓子店、宝石店、薬局、ディーラー、洋品店、呉服屋等の各店の店頭、コーナー、陳列台・棚等の片隅を活用して設置し、全ての店内の小さいスペースに陳列かつ広告用として有効利用できる構造とするために、少ないパーツで、簡易に組立て、かつ分解できる構成」とする。
〔Ｃ〕として、「食品店、スーパー、洋菓子・和菓子等の菓子店、宝石店、薬局、ディーラー、洋品店、呉服屋等の各店の店頭、コーナー、陳列台・棚等の片隅を活用して多段に設置し、全ての店内の陳列かつ広告用のスペースを有効利用できる構造とするために、側板の上面に、連結用の孔を設ける（開設する）構成」とする。
〔Ｄ〕として、「食品店、スーパー、洋菓子・和菓子等の菓子店、宝石店、薬局、ディーラー、洋品店、呉服屋等の各店の店頭、コーナー、陳列台・棚等を活用し、全ての店内に陳列かつ広告用として有効利用できる構造とするために、底板と、複数枚の側板を組合せることと、この側板を利用して幟、広告塔を立設でなる構成」とする。
【課題を解決するための手段】
【０００７】
請求項１の発明は、前述した〔Ａ〕と、〔Ｂ〕を達成する。
〔Ａ〕  「食品店、スーパー、洋菓子・和菓子等の菓子店、宝石店、薬局、ディーラー、洋品店、呉服屋等の各店の店頭、コーナー、陳列台・棚等を活用し、全ての店内に陳列かつ広告用として有効利用できる構造とするために、周辺の内端側の角と、この周辺の内端側及び／又は外端側の隅角を曲面形状にした底板と、この底板の隅角、及び隠蔽箇所に沿って立設した鍵型の側板でなる構成」である。
〔Ｂ〕  「食品店、スーパー、洋菓子・和菓子等の菓子店、宝石店、薬局、ディーラー、洋品店、呉服屋等の各店の店頭、コーナー、陳列台・棚等の片隅を活用して設置し、全ての店内の小さいスペースに陳列かつ広告用として有効利用できる構造とするために、少ないパーツで、簡易に組立て、かつ分解できる構成」である。
【０００８】
この請求項１は、周辺の内端側の角と、この周辺の内端側及び／又は外端側の隅角を曲面形状にした底板と、この底板の周辺の外端に沿って立設した鍵型の側板で構成し、この底板の隅角、及び外端のコーナー上面に設けた孔と、前記側板の少なくとも下面に設けた孔との間に、連結具を設け、前記底板と側板を組立て、かつ分解できる構成とした組立て式陳列棚とする。
【０００９】
請求項２・３の発明は、前述した〔Ａ〕、〔Ｂ〕と、〔Ｃ〕を達成する。
〔Ｃ〕  「食品店、スーパー、洋菓子・和菓子等の菓子店、宝石店、薬局、ディーラー、洋品店、呉服屋等の各店の店頭、コーナー、陳列台・棚等の片隅を活用して多段に設置し、全ての店内の陳列かつ広告用のスペースを有効利用できる構造とするために、側板の上面に、連結用の孔を設ける（開設する）構成」である。
【００１０】
この請求項２は、請求項１に記載の側板の上面に孔を設け、この孔を利用して、同形の側板を複数枚積層組立て、かつ分解可能とした組立て式陳列棚とする。
【００１１】
また、この請求項３は、請求項１に記載の側板の上面に孔を設け、この孔を利用して、同形の側板を複数枚積層組立て、かつ分解可能とするとともに、前記底板の周辺の外端の上下面に設けた孔と、前記連結具を介して、この底板を中間棚として利用する構成とした組立て式陳列棚とする。
【００１２】
この請求項４の発明は、前述した〔Ａ〕、〔Ｂ〕と、〔Ｄ〕を達成する。
〔Ｄ〕  「食品店、スーパー、洋菓子・和菓子等の菓子店、宝石店、薬局、ディーラー、洋品店、呉服屋等の各店の店頭、コーナー、陳列台・棚等を活用し、全ての店内に陳列かつ広告用として有効利用できる構造とするために、底板と、複数枚の側板を組合せることと、この側板を利用して幟、広告塔を立設でなる構成」である。
【００１３】
この請求項４は、請求項１に記載の側板の上面に孔を設け、この孔を利用して、この側板に幟、広告塔を立設可能とした組立て式陳列棚とする。
【図面の簡単な説明】
【００１４】
【図１】図１は菓子店等の店において、組立て式陳列棚（陳列棚）を二基設置した一例の模式図
【図２】図２は陳列棚の上面に幟、広告塔を立設した一例の模式図
【図３】図３は陳列棚の基本の一例を示した組立て状態の斜視図
【図４】図４は図３の底板と側板の分解斜視図
【図５】図５は図３における底板と側板の連結状態を示した分解斜視図
【図６】図６は陳列棚を積層した基本の一例を示した組立て状態の斜視図
【図７】図７は陳列棚を積層した基本の他の一例（中間棚を備えない）を示した組立て状態の斜視図
【図８】図８は図７の分解斜視図
【図９−１】図９−１は内端側に突部を設けた一例の平面図
【図９−２】図９−２は内端を波形形状とした一例の平面図
【図９−３】図９−３は内端を角曲面とした一例の平面図
【図９−４】図９−４は内端を略直線とした一例の平面図
【図９−５】図９−５は内端を方形形状とした一例の平面図
【発明を実施するための形態】
【００１５】
本発明の一例を説明する。
【００１６】
図面の説明をすると、図１は菓子店等の店において、組立て式陳列棚（陳列棚）を二基設置した一例の模式図、図２は陳列棚の上面に幟、広告塔を立設した一例の模式図、図３は陳列棚の基本の一例を示した組立て状態の斜視図、図４は図３の底板と側板の分解斜視図、図５は図３における底板と側板の連結状態を示した分解斜視図、図６は陳列棚を積層した基本の一例を示した組立て状態の斜視図、図７は陳列棚を積層した基本の他の一例（中間棚を備えない）を示した組立て状態の斜視図、図８は図７の分解斜視図、図９−１〜図９−５は、底板の他の曲面形状（構造）を平面視したものであり、図９−１は内端側に突部を設けた一例の平面図、図９−２は内端を波形形状とした一例の平面図、図９−３は内端を角曲面とした一例の平面図、図９−４は内端を略直線とした一例の平面図、図９−５は内端を方形形状とした一例の平面図、である。
【００１７】
１は平面視して、略コ字形形状の底板で、この底板１の周辺１−１の内端側１００の角１ａ、１ａ（内端側１００の両端角）と、隅角１ｂ、１ｂ（内端側１００の内、外端側１０２の外隅）の端側を曲面形状にする。この目的を達成するには、樹脂製で、かつ成形手段を採用する。そして、この曲面形状は、体裁及び／又は美感の向上と、怪我及び／又は底板１の損傷回避、或いは材料節約、優しさの表徴等を意図する。また、図示しないが、底板１の上面１０１の内端１０４に膨出条を設けることで、商品の落下防止、緩衝効果、重厚感の醸成等に有効となる。そして、この底板１の上面１０１の外端１０５には、連結具用の孔２が複数開設されている。また、図示しないが、脚３を取付ける螺孔が、底板１の下面１０３の外端１０５に開設されている。尚、この上面１０１、下面１０３に装飾を施すことは可能である。そして、前記隅角１ｂは、後述する図９−１〜図９−５に示した底板１の他の曲面形状を、平面視して示した如く、構造を変更した各例が挙げられる。この各例では、変化に富んだ陳列台を提供できること、又は後述する商品等に最適な陳列棚を提供できること、設置場所（店）の雰囲気に合致させ得ること、等の実益がある。
【００１８】
５は平面視して、略コ字形形状（鍵型）の側板で、この側板５は、前記底板１の外端側１０２と相似形の曲面形状とする。そして、この側板５（側板５−５）は、前記底板１の外端側１０２と相似形の構造とすることで、前記底板１と同様に、樹脂製で、かつ成形手段を採用する。また、この側板５の上下面５０１、５０３には、連結具用の孔６が複数開設されている。尚、上面５０１の孔６は、幟１０、広告塔１１の柱１２挿入用の差込み孔６００として利用することもある。この側板５の外側５００は、底板１の上面１０１の外端側１０２に設置した場合には、この外端側１０２の曲面的な流れに整合する構造（面一構造）である。
【００１９】
前述した底板１と側板５の組付けと、分解を説明する。
【００２０】
最初に、図３〜図５に示した組付け状態の一例では、底板１に側板５を設置するに際し、この底板１の上面１０１の外端１０５に開設した複数個の孔２に、側板５の下側５０３に設けた複数個の孔６を整合し、複数個の整合孔（図示しない）を順次形成する。そして、この各整合孔に、各孔２（底板１の下面１０３側）より複数本の連結具７（止め金具、緊締具等）の一方側７ａを、順次、それぞれ差込み、その大径の各鍔片７００（一方側７ａの杆部の径に対して大径の鍔片７００とする）を、底板１の下面１０３に、それぞれ圧接固定する。この連結具７の差込み固定を介して、この底板１に側板５が立設されるとともに、前述の如く、この側板５の外側５００と、底板１の上面１０１の外端側１０２が整合する。この組付けが完了して脚３を設置した状態が、図３であり、最も小型の陳列棚である。尚、連結具７は一例であり、連結具８、螺杆、鋲、その他の緊締手段の例もあり得る。また、脚３を用途に合わせて設けない構造も可能である。
【００２１】
尚、図７と図８に示した組付け状態の他の一例では、前記一例の組付け後に、この側板５の上に、次の側板５−５を組付けた一例であり、側板５の各孔６に、複数本の連結具８の一方側８ａを、順次、差込み、その大径の各鍔片８００（一方側８ａと他方側８ｂの杆部の径に対して大径の鍔片８００とする）を、上面５０１に、それぞれ圧接するとともに、この各連結具８の他方側８ｂを、その上面５０１より、それぞれ突出させる。この突出した各他方側８ｂに、側板５−５の下側５０３（番号を共用する。以下、同じ）に設けた複数個の孔６を、順次、被嵌する。この側板５−５の各孔６を、順次、被嵌することで、この側板５−５が、側板５に連設されるとともに、前述の如く、この側板５の外側５００と、この側板５−５の外側５００が整合する。そして、この組付け完了した使用状態を、図１に示しており、店舗において、底板１に商品２０と、瓶２１を載置して使用する。尚、連結具８は一例であり、連結具７、螺杆、鋲、その他の緊締手段の例もあり得る。
【００２２】
また、図６に示した陳列棚を積層した基本の一例の様に、底板１を連結具７、８等で積層することにより、積層した底板１を中間棚１０００として利用することもできる。
【００２３】
そして、分解は、前述した組付け方法の逆で、側板５、５−５を引抜き、複数本の連結具７、８を脱抜することで、簡易かつ確実に行える特徴がある。
【００２４】
そして、前記底板１の他の曲面形状を平面視したものであり、図９−１は底板１の内端側１００に突部を設けた一例の平面図、図９−２は底板１の内端１０４を波形形状とした一例の平面図、図９−３は底板１の内端１０４を角曲面とした一例の平面図、図９−４は底板１の内端１０４を略直線とした一例の平面図、図９−５は底板１の内端１０４を方形形状とした一例の平面図、である。この各例では、商品２０と瓶２１の形状、寸法、又は構成、季節とか、店の設置場所・雰囲気等を考慮して、適宜選択する。また、図示しないが、底板１の上面１０１はフラットに限定されず、上面１０１に設けた凹凸形状、上面１０１に設けた一個又は複数個の凹部、又は凸部を設けた構造、或いは上面１０１を傾斜構造か、膨出形状等とし、この陳列棚に変化をもたらすことも可能である。
【符号の説明】
【００２５】
１            底板
１−１        周辺
１ａ          角
１ｂ          隅角
１００        内端側
１０１        上面
１０２        外端側
１０３        下面
１０４        内端
１０５        外端
１０００      中間棚
２            孔
３            脚
５            側板
５−５        側板
５００        外側
５０１        上面
５０３        下面
６            孔
６００        差込み孔
７            連結具
７ａ          一方側
７００        鍔片
８            連結具
８ａ          一方側
８ｂ          他方側
８００        鍔片
１０          幟
１１          広告塔
１２          柱
２０          商品
２１          瓶
【図１】
2010200919.tif 000003
【図２】
2010200919.tif 000004
【図３】
2010200919.tif 000005
【図４】
2010200919.tif 000006
【図５】
2010200919.tif 000007
【図６】
2010200919.tif 000008
【図７】
2010200919.tif 000009
【図８】
2010200919.tif 000010
【図９−１】
2010200919.tif 000011
【図９−２】
2010200919.tif 000012
【図９−３】
2010200919.tif 000013
【図９−４】
2010200919.tif 000014
【図９−５】
2010200919.tif 000015